(57)【要約】【課題】身体にフィットさせることが容易な使い捨ての体液吸収性着用物品。【解決手段】使い捨ての体液吸収性着用物品１は、平坦なパッドがそれに含まれる透液性表面シート２を外側にして中心線Ｌに沿って折曲されることにより形成されていて、横方向Ｂにおける断面形状がＶ字形をなしている。体液吸収性着用物品１はまた、平坦なパッドの折曲されている形状を維持することができるように、着衣当接用シート３が連結手段１１を介してつなげられる。着衣当接用シート３には、体液吸収性着用物品１を着衣に対して取り外し可能に止着するための止着手段１２が設けられる。【選択図】図１
2010179002.tif 000002
【特許請求の範囲】
【請求項１】
互いに直交する縦方向と横方向と厚さ方向とを有し、前記横方向の寸法を二等分して前記縦方向へ延びる中心線に関して対称であって、前記厚さ方向では肌当接用シートと着衣当接用シートとの間に体液吸収性の芯材が介在していて前記肌当接用シートが透液性である平坦なパッドによって形成されており、前記平坦なパッドが前記肌当接用シートを外側にして前記中心線に沿って二つに折曲されていて、前記横方向における断面形状が逆Ｖ字形をなす使い捨ての体液吸収性着用物品であって、
前記体液吸収性着用物品は、前記平坦なパッドの折曲されている形状を維持することができるように、前記着衣当接用シートが前記中心線を挟んで前記横方向において互いに向かい合う部分の一部どうしを連結手段を介してつなげられた状態にあり、かつ、前記体液吸収性物品には、前記着衣当接用シートが当接する着衣に対して取り外し可能に止着するための止着手段が設けられていることを特徴とする前記体液吸収性着用物品。
【請求項２】
前記連結手段は、前記互いに向かい合う部分の一部に対して塗布された接着剤および前記互いに向かい合う部分の一部に対して前記横方向における両端部が取り付けられている連結用シートのいずれかである請求項１記載の体液吸収性物品。
【請求項３】
前記肌当接用シートと前記着衣当接用シートとは、前記芯材の周縁から延出する部分において重なり合って互いに接合することにより、前記体液吸収性着用物品の周縁部を形成しており、前記体液吸収性着用物品において前記止着手段が前記周縁部よりも内側に形成されている請求項１または２記載の体液吸収性着用物品。
【請求項４】
前記平坦なパッドはその平面形状を画成する輪郭線を有し、前記輪郭線には前記横方向において前記中心線から最も遠く離れている遠隔部位があり、前記止着手段が前記遠隔部位よりも前記横方向の内側で前記平坦なパッドに形成されている請求項１または２記載の体液吸収性着用物品。
【請求項５】
前記止着手段は、粘着剤およびメカニカルファスナのフック部材のいずれかによって形成されている請求項１〜４のいずれかに記載の体液吸収性着用物品。
【請求項６】
前記肌当接用シート、前記着衣当接用シートおよび前記連結用シートが水解性シートによって形成されており、前記芯材は繊維長が２０ｍｍを越えることのない吸水性繊維の集合体である請求項１〜５のいずれかに記載の体液吸収性着用物品。
【請求項７】
前記肌当接用シート、前記着衣当接用シートおよび前記連結用シートのいずれかが、０．０１〜０．５ｄｔｅｘの繊度と３〜１０ｍｍの繊維長とを有する極細の熱可塑性合成繊維を１０〜５０重量％含む水解性不織布によって形成されているものである請求項１〜６のいずれかに記載の体液吸収性着用物品。
【請求項８】
前記連結手段と前記止着手段とが前記縦方向において互いに離間している請求項１〜７のいずれかに記載の体液吸収性着用物品。
【請求項９】
前記連結手段は、前記体液吸収性着用物品の前記縦方向において互いに対向する両端部のうちの一方の端部の側にのみ形成されている請求項１〜８のいずれかに記載の体液吸収性着用物品。
【発明の詳細な説明】
【技術分野】
【０００１】
この発明は、股部の肌に当接して着用するのに好適な使い捨ての体液吸収性着用物品に関し、より詳しくは痔疾患者用のパッドや陰唇間パッド等として使用するのに好適な前記体液吸収性物品に関する。
【背景技術】
【０００２】
従来、股部の所要部位、例え女性の陰部等に当接して体液を吸収させるための使い捨ての着用物品は周知である。また、その着用物品であって、幅方向の中央部が周縁部よりも高くなるように、いわゆる中高に作られたものも公知ないし周知である。
【０００３】
例えば、特開平１１−３１３８５１号公報（Ｈ１１−３１３８５１  Ａ１、特許文献１）には、幅方向断面が逆Ｖ字状に形成された生理用ナプキンが開示されている。この生理用ナプキンは、逆Ｖ字形のコアの両側縁部を越えて幅方向へ延びる平坦な裏面部材の下面に粘着剤が塗布されている。この生理用ナプキンは、粘着剤によって着用ショーツに固定して使用する。
【０００４】
また、特開２００７−１１１１９１号公報（２００７−１１１１９１  Ａ１、特許文献２）には、幅方向断面が逆Ｖ字状に形成された陰唇間パッドが開示されている。このパッドでは、弾性材料でできた連結部材が幅方向へ延びていて、逆Ｖ字状である吸収体の両側縁の外側に形成されたフラップに接合している。
【先行技術文献】
【特許文献】
【０００５】
【特許文献１】特開平１１−３１３８５１号公報（Ｈ１１−３１３８５１  Ａ１）
【特許文献２】特開２００７−１１１１９１号公報（２００７−１１１１９１  Ａ１）
【発明の概要】
【発明が解決しようとする課題】
【０００６】
幅方向の断面が逆Ｖ字状に形成されているこれらの着用物品は、それを着用するときに、断面の頂部を股部における所要の部位に的確にフィットさせることが不可欠である。然るに、特許文献１の生理用ナプキンは、粘着剤を被覆している剥離紙を剥がすと、その粘着剤が着用ショーツの内面に対して最も近い位置にあって、内面に対して容易に接触する状態になる。そして、粘着剤と内面とが接触した状態では、その内面に対する生理用ナプキンの位置を調整することはもはや困難である。
【０００７】
また、特許文献２に開示の陰唇間パッドは、それを陰唇間に置いたときに弾性材料で形成された連結部材によって陰唇に作用する弾性的な反発力によって陰唇間から外れなくなるというものである。それゆえ、このような陰唇間パッドは、陰唇間への置き方のいかんによって、陰唇間における安定性が著しく変化して、陰唇から外れ易くなるということが生じかねない。
【０００８】
そこで、この発明は、使い捨ての体液吸収性着用物品について、それを所要の部位にフィットさせることが容易となるように改良することを課題にしている。
【課題を解決するための手段】
【０００９】
前記課題を解決するために、この発明が対象とするのは、互いに直交する縦方向と横方向と厚さ方向とを有し、前記横方向の寸法を二等分して前記縦方向へ延びる中心線に関して対称であり、前記厚さ方向では肌当接用シートと着衣当接用シートとの間に体液吸収性の芯材が介在していて前記肌当接用シートが透液性である平坦なパッドによって形成されており、前記平坦なパッドが前記肌当接用シートを外側にして前記中心線に沿って二つに折曲されていて、前記横方向における断面形状が逆Ｖ字形をなす使い捨ての体液吸収性着用物品である。
【００１０】
かかる体液吸収性着用物品において、この発明が特徴とするところは、次のとおりである。前記体液吸収性着用物品は、前記平坦なパッドの折曲されている形状を維持することができるように、前記着衣当接用シートが、前記中心線を挟んで前記横方向において互いに向かい合う部分の一部どうしを連結手段を介してつなげられた状態にあり、かつ、前記体液吸収性物品には、前記着衣当接用シートが当接する着衣に対して取り外し可能に止着するための止着手段が設けられている。
【００１１】
この発明の実施形態の一つにおいて、前記連結手段は、前記互いに向かい合う部分の一部に対して塗布された接着剤および前記互いに向かい合う部分の一部に対して前記横方向における両端部が取り付けられている連結用シートのいずれかである
【００１２】
この発明の実施形態の一つにおいて、前記肌当接用シートと前記着衣当接用シートとは、前記芯材の周縁から延出する部分において重なり合って互いに接合することにより、前記体液吸収性着用物品の周縁部を形成しており、前記体液吸収性着用物品において前記止着手段が前記周縁部よりも内側に形成されている。
【００１３】
この発明の実施形態の一つにおいて、前記平坦なパッドは、その平面形状を画成する輪郭線を有し、前記輪郭線には、前記横方向において前記中心線から最も遠く離れている遠隔部位があり、前記止着手段が前記遠隔部位よりも前記横方向の内側で前記平坦なパッドに形成されている。
【００１４】
この発明の実施形態の他の一つにおいて、前記止着手段は粘着剤およびメカニカルファスナのいずれかによって形成されている。
【００１５】
この発明の実施形態の他の一つにおいて、前記肌当接用シート、前記着衣当接用シートおよび前記連結用シートが水解性シートによって形成されており、前記芯材は繊維長が２０ｍｍを越えることのない吸水性繊維の集合体である。
【００１６】
この発明の実施形態の他の一つにおいて、前記肌当接用シート、前記着衣当接用シートおよび前記連結用シートのいずれかが、０．０１〜０．５ｄｔｅｘの繊度と３〜１０ｍｍの繊維長とを有する極細の熱可塑性合成繊維を１０〜５０重量％含む水解性不織布によって形成されているものである。
【００１７】
この発明の実施形態の一つにおいて、前記連結手段と前記止着手段とが前記縦方向において互いに離間している。
【００１８】
この発明の実施形態の一つにおいて、前記連結手段は、前記体液吸収性着用物品の前記縦方向において互いに対向する両端部のうちの一方の端部の側にのみ形成されている。
【発明の効果】
【００１９】
この発明に係る使い捨ての体液吸収性着用物品には、着衣当接用シートおよび着衣当接用シートに取り付けられている連結用シートのいずれかに、体液吸収性着用物品を着衣に止着させるための止着手段が設けられているから、例えばこの体液吸収性着用物品を痔疾のある患者の肛門に当てて使用するときには、その止着手段によって体液吸収性物品を患者が着用しているパンツ等の着用物品に固定することができる。それゆえ、患者が身体を動かすときでも、体液吸収性着用物品は肛門からずれることがない。
【図面の簡単な説明】
【００２０】
【図１】使い捨ての体液吸収性着用物品（痔疾パッド）の部分破断斜視図。
【図２】図１のＩＩ−ＩＩ線切断面を示す図。
【図３】図１のＩＩＩ−ＩＩＩ線切断面を示す図。
【図４】図１の体液吸収性着用物品を平面状に展開したときの部分破断平面図。
【図５】実施形態の一例を示す図４と同様な図。
【図６】実施形態の他の一例を示す図１と同様な図。
【図７】図６のＶＩＩ−ＶＩＩ線切断面を示す図。
【図８】図６のＶＩＩＩ−ＶＩＩＩ線切断面を示す図。
【図９】図６の体液吸収性着用物品を平面状に展開したときの部分破断平面図。
【発明を実施するための形態】
【００２１】
添付の図面を参照して、この発明に係る使い捨ての体液吸収性着用物品の詳細を説明すると、以下のとおりである。
【００２２】
図１，２，３は、使い捨ての体液吸収性着用物品の一例である痔疾用パッド１の部分破断斜視図と、その斜視図におけるＩＩ−ＩＩ線切断面を示す図と、ＩＩＩ−ＩＩＩ線切断面を示す図とである。パッド１は、互いに直交する縦方向Ａと横方向Ｂと高さ方向Ｃとを有し、縦方向Ａには前端部Ｆと後端部Ｒを含んでいて、横方向Ｂの寸法を２等分する中心線Ｌに関して対称に形成されている。パッド１は、それを図２，３における切断面でみると、高さ方向Ｃの上方に頂部１０を形成するように中心線Ｌに沿って二つに折曲されていて逆Ｖ字形を画いており、その頂部１０が図１では中心線Ｌに一致して縦方向Ａへ延びている。
【００２３】
パッド１は、肌当接用シート２と、着衣当接用シート３と、これら両シート２，３の間に介在する体液吸収性の芯材４とを有するもので、肌当接用シート２は透液性であり、着衣当接用シート３は不透液性または透液性であるが、好ましくは不透液性である。肌当接用シート２と着衣当接用シート３とは、芯材４の周縁から延出する部分において重なり合い、接着剤またはこれらシート２，３に含まれる熱可塑性合成樹脂を溶融させることにより互いに接合してパッド１の周縁部６を形成している。好ましい周縁部６では、肌当て用シート２と着衣当接用シート３とが、接着剤のうちでもでんぷん糊等の水溶性の接着剤を介して接合している。周縁部６によって囲まれているパッド１の内側部分は、体液吸収部７である。
【００２４】
図２，３に示された逆Ｖ字形を画く横方向Ｂの切断面において、肌当接用シート３はパッド１の外面を形成し、着衣当接用シート４はパッド１の内面を形成している。パッド１の前端部Ｆ寄りの切断面を示す図２において、着衣当接用シート３は、中心線Ｌ（図１参照）を挟んで向かい合う部分が、頂部１０の近傍において、接着剤１１を介して互いに接合している。パッド１の後端部Ｒ寄りの切断面を示す図３において、着衣当接用シート３は、中心線Ｌを挟んで向かい合うそれぞれの部分が剥離紙１３によって被覆保護された粘着剤１２を有するが、図２におけるが如くに接着剤１１を介して互いに接合してはいない。
【００２５】
図４は、図２に示されたパッド１において、接着剤１１を介して接合している着衣当接用シート３どうしを剥離して離間させ、その後にパッド１を平面状に展開して得られる平坦なパッド１ａの部分破断平面図である。平坦なパッド１ａは中心線Ｌに関して対称なものであるが、接着剤１１に関してはそれが中心線Ｌの一方の側に図示され、中心線Ｌのもう一方の側には図２においてその接着剤１１によって接着される部位が仮想線１１ａで示されている。接着剤１１は、前端部Ｆの側においてのみ着衣当接用シート３に塗布されており、粘着剤１２は、その大部分が前端部Ｆに対向する後端部Ｒの側に塗布されている。縦方向Ａにおいて、接着剤１１と粘着剤１２とは距離ｄだけ離間している。この発明において、平坦なパッド１ａの平面形状に格別の規定はないが、図示例ではその平面形状を画成する輪郭線２０が中心線Ｌの両側において凹凸を繰り返す曲線を画いていて、平坦なパッド１ａの前端２１と後端２２とでは凸曲線を画いている。中心線Ｌの両側における輪郭線２０には、湾曲部位３０と、横方向Ｂにおいて中心線Ｌから最も遠く離れている遠隔部位４０とが含まれている。図示例の平坦なパッド１ａにおいては、粘着剤１２が遠隔部位４０よりも内側、さらに好ましくは周縁部６よりも内側にある。かように形成されている平坦なパッド１ａの縦方向Ａと横方向Ｂと中心線Ｌとは、図１における縦方向Ａと横方向Ｂと中心線Ｌとに一致している。また、図１における高さ方向Ｃは、図４における平坦なパッド１ａの厚さ方向（図示せず）に相当する。その平坦なパッド１ａの厚さ方向は、図４における縦方向Ａと横方向Ｂとに直交する方向である。平坦なパッド１ａの縦方向Ａの寸法Ｐと横方向Ｂの寸法Ｑとは、パッド１の使用者の身体の大きさに合わせて定めればよいものではあるが、一般的な痔疾パッド１では、寸法Ｐが８〜１５ｃｍの範囲にあり、寸法Ｑが４〜９ｃｍの範囲にある。
【００２６】
このように形成されているパッド１を着用する手順の一つは、次のとおりである。図２，３に仮想線で示されているように、前端部Ｆにおける頂部１０を痔疾患者の肛門に当てがうようにしてパッド１の全体を尻の割れ目３１に挿入する。そのようにパッド１を挿入するときには、パッド１の後端部Ｒにおいて逆Ｖ字形を画いて向かい合っている着衣当接用シート３と３との間に指を入れることによって、挿入作業が容易になる。パッド１における剥離紙１３は、パッド１を尻の割れ目３１に挿入する前に剥離しておくこともできれば、パッド１を肛門に当てがってから剥離することもできる。パッド１を肛門に当てがったならば、脚（図示せず）を通してあるパンツ３２を引き上げてパンツ３２の内面を粘着剤１２に押し当て、パッド１をその内面に対して止着すると、パッド１の粘着剤１２を含む部位がパンツ３２の内面に沿うように変形する。パッド１の後端部Ｒがこのように変形するときに、パンツ３２に止着していない前端部Ｆは逆Ｖ字形、すなわち山形の形状を維持していて、しかも後端部Ｒとは反対にパンツ３２の内面から浮き上がって肛門に接近するように付勢される傾向があるので、パッド１は、尻の割れ目３１から外れ難くなるとともに、体液を速やかに吸収するうえにおいて好ましい状態になる。前端部Ｆのこのような状態は、図２において、仮想線で示されたパンツ３２と周縁部６とが上下方向Ｃで離間している状態として示されている。
【００２７】
このような着用手順によると、パッド１において周縁部６よりも内側にある粘着剤１２は、剥離紙１３をどの時点で剥離しておいても、パンツ３２の内面を粘着剤１２に押し当てない限りその内面に接触することがない。すなわち、パンツ３２を引き上げる途中で粘着剤１２はパンツ３２の内面に徒らに接触することがない。そのようなパッド１は、それをパンツ３２の内面における適切な位置に止着することが容易なものでもある。パッド１はまた、それが粘着剤１２によってパンツ３２の内面に止着されれば、着用者（図示せず）が身体を動かしても、簡単には肛門からずれるということがない。かような粘着剤１２は、パッド１をパンツ３２の内面から取り外すことができるように、その粘着力が調整されているものであり、好ましくはポリビニルアルコール等の水溶性のものである。
【００２８】
パッド１を着用する手順のもう一つでは、パッド１を、それを肛門に当てがう前に、パンツ３２の内面のしかるべき部位に止着して、図３に仮想線で示されている態様と同じにする。パッド１の前端部Ｆは、接着剤１１の作用で頂部１０が常に凸状を維持しているから、着用しようとするパンツ３２を引き上げれば尻の割れ目３１に容易に進入する。パッド１を常用する患者であれば、パンツ３２においてパッド１を止着する部位は一定の部位となるから、前記したパンツ３２の内面のしかるべき部位がどこであるかを知ることは容易である。
【００２９】
パッド１において、肌当接用シート２には、透液性の不織布や織布、開孔プラスチックフィルム等を使用することができる。着衣当接用シート３には透液性または不透液性の不織布や織布、プラスチックフィルム等を使用することができるが、パッド１が吸収した体液の滲出を防ぐうえにおいて、不透液性のものを使用することが好ましい。芯材４には、粉砕パルプや粉砕パルプと高吸水性ポリマー粒子との混合物を使用することができる。
【００３０】
肌当接用シート２や着衣当接用シート３は、それを大量の水中で撹拌すると、シートとしての組織が崩壊して複数の細片や細かい繊維塊となるような水解性の不織布で作ることができる。そのような不織布の一例には、０．０１〜０．５ｄｔｅｘの繊度と３〜１０ｍｍの繊維長とを有する極細の熱可塑性合成繊維を１０〜５０重量％含み、１〜２ｄｔｅｘの繊度と５〜２０ｍｍの繊維長とを有する化学繊維および／または６００〜７７０ｃｃの濾水度を有するパルプ繊維を９０〜５０重量％含むスパンレース不織布がある。さらに具体的な例を挙げれば、３．３ｄｔｅｘの繊度と５ｍｍの繊維長とを有し、１１分割可能に形成されたポリエチレンテレフタレート／ナイロンの複合繊維を分割することによって得られる０．３ｄｔｅｘの極細の熱可塑性合成繊維を２０重量％含み、１．１ｄｔｅｘの繊度と７ｍｍの繊維長とを有するレーヨン繊維を８０重量％含み、３５ｇ／ｍ２の坪量と０．２４ｍｍの厚さとを有するスパンレース不織布がある。このスパンレース不織布は、水解性のものであるうえに、肌当接用シート２として使用するのに十分な引張強度と柔軟性と透液性とを有している。また、この不織布に水溶性バインダ、例えばＥａｓｔｍａｎ  Ｃｈｅｍｉｃａｌ  Ｃｏｍｐａｎｙ製のＡＱ５５Ｓを不織布の重量に対して８重量％となるように塗布したものは、水解性ではあるが、透液性の低いもので、着衣当接用シート３として使用するのに好適なものになる。水解性不織布が使用されているパッド１ではまた、芯材４も水中で容易に細かく分散できるように、パルプ繊維等の繊維長が２０ｍｍを越えることのない吸水性繊維のみで形成されていて、高吸水性ポリマー粒子を含まないものであることが好ましい。芯材４に含まれる高吸水性ポリマー粒子は、吸水することに伴って水不溶性のブロックを形成することがある。
【００３１】
接着剤１１には、水溶性接着剤やホットメルト接着剤を使用することができるが、パッド１の水解性を向上させるうえにおいて、水溶性接着剤を使用することが好ましい。また、パッド１は、着衣当接用シート３が熱溶融性樹脂を含むものであるならば、着衣当接用シート３どうしを溶着することによって接着剤１１による接合に代えることができる。ホットメルト接着剤や溶着による着衣当接用シート３の接合では、着衣当接用シート３における接合面積を小さくすることによって、このシート３の水解性の低下を避けることが好ましい。
【００３２】
図５は、実施形態の一例を示す図４と同様な図であるが、図５における平坦なパッド１ａでは、図５における平坦なパッド１ａは、その平面形状が図４における平坦なパッド１ａの平面形状と異なることに加えて、粘着剤１２が前端部Ｆにまで延びていて、粘着剤１２の一部が接着剤１１の側方に位置している。粘着剤１２は、その塗布範囲をこのように広げることが可能である。粘着剤１２はまた、輪郭線２０における遠隔部位４０よりも内側で着衣当接用シート３に塗布されてはいるが、湾曲部位３０における輪郭線２０に一致し、後端部Ｒ側の中心線Ｌの近傍の部位６１における輪郭線２０にも一致している。粘着剤１２は、着衣当接用シート３に対して遠隔部位４０よりも内側に塗布されるべきものではある。しかし、パッド１をパンツ３２の内面に対して図２，３の如くに逆Ｖ字形の状態で立てたときに、その内面に接触するおそれのない輪郭線２０の部位に対しては、その部位と一致するように粘着剤１２を塗布することができる。図５の平坦なパッド１ａから作られるパッド１は、それをパンツ３２の内面に止着するときに、前端部Ｆが後端部Ｒと同様にその内面に沿って止着して、パンツ３２に対して強固な止着状態になることが可能である。このパッド１もまた、剥離紙１３を剥離しても、粘着剤１２はパンツ３２の内面に徒に接触することがない。
【００３３】
図６，７，８は、実施形態の一例を示す図１，２，３と同様な図であって、図６は、図１とは異なる実施形態の痔疾用パッド１の部分破断斜視図であり、図７，７は図６におけるＶＩＩ−ＶＩＩ線切断面とＶＩＩＩ−ＶＩＩＩ線切断面とを示す図である。図６，７に示されているパッド１の態様は図１のパッド１の態様と異なるもので、パッド１の前端部Ｆにおける着衣当接用シート３は、中心線Ｌを挟んで横方向Ｂにおいて向かい合う部分どうしが連結用シート４１によってつなげられている。連結用シート４１は中心線Ｌに関して対称なもので、横方向Ｂにおける両端部４１ａは、着衣当接用シート３に対する対向面４２が接着剤４４を介して着衣当接用シート３に剥離不能に接合している。連結用シート４１はまた、両端部４１ａと４１ａとの間に着衣当接用シート３に接合することのない中間部４１ｂを有し、中間部４１ｂにおける対向面４２の反対面４３には、その反対面４３を着衣であるパンツ３２（図７参照）に取り外し可能に止着するために、一対の互いに離間した粘着域４５が中心線Ｌに関してほぼ対称となるように形成されている。それらの粘着域４５は、着衣３２に対しての止着手段となる粘着剤４６を含み、その粘着剤４６が図７において横方向Ｂに延びる１枚の剥離シート４７によって被覆保護されている。連結用シート４１は、パッド１の切断面が図７の如く逆Ｖ字形を画いているときの高さ方向Ｃにおいて中間部４１ｂがパッド１の周縁部６よりも上方に位置するように、両端部４１ａの着衣当接用シート３に対する接合位置が選ばれる。好ましい連結用シート４１の両端部４１ａは、図７に例示されているように、周縁部６よりも上方で着衣当接用シート３に接合している。このような連結用シート４１における粘着域４５は、パッド１の横方向Ｂにおいては周縁部６よりも内側に位置し、高さ方向Ｃにおいては周縁部６よりも上側に位置している。なお、パッド１の後端部Ｒの態様は、図８に示されているように、図２におけるパッド１の後端部Ｒとほぼ同じ態様にある。
【００３４】
このように形成されているパッド１では、連結用シート４１が図２における接着剤１１と同様に作用して、逆Ｖ字形に形成されているパッド１が横方向Ｂへ大きく広がり過ぎることを防ぐことによって、パッド１の二つに折曲された状態にある形状が維持されている。そのパッド１を着用するときには、図７に仮想線で示された指先５１を着衣当接用シート３と連結用シート４１との間に形成される空隙５２に進入させることができるように、パッド１の後端部Ｒから指先５１を互いに向かい合う着衣当接用シート３と３との間に挿入する。そのようにすると、指先５１にパッド１が固定され、パッド１を肛門に当てがうことが容易になる。剥離シート４７は、指先５１を空隙５２に進入させる前に剥離することもできれば、パッド１を肛門に当てがってから剥離することもできる。いずれの場合であっても、粘着剤４６はパッド１の周縁部６よりも内側かつ上側にあるので、着用しようとするパンツ３２を引き上げるときにその周縁部６がパンツ３２に接触することがあっても、パッド１はパンツ３２の内面に徒に接合することがない。パンツ３２を引き上げた後にパッド１がパンツ３２に止着する状態は、図７，８に仮想線で示されているとおりであって、パッド１は周縁部６の近傍がパンツ３２の内面に沿うように変形している。
【００３５】
図９は、図６のパッド１において、中心線Ｌに沿って折曲されていた肌当接用シート２と着衣当接用シート３と、芯材４とを図４と同様に平面状に展開したときに得られる平坦なパッド１ａの部分破断平面図である。平坦なパッド１ａの形状は、図４に例示の形状と異なっている。周縁部６には、中心線Ｌに平行な部分６ａが含まれており、前端部Ｆは平坦なパッド１ａの外に向かって鋭角をなして延びる凸状部４８を有し、後端部Ｒはその外側に凸状部４８と形状を同じくする凹状部４９を有する。このような形状の平坦なパッド１ａには、肌当接用シート２等の部材を作るときに、それらの原材料から生じるスクラップが少なくなるという利点がある。ただし、連結用シート４１と剥離シート４７とは折り重ねられていて、その連結用シート４１が着衣当接用シート３のうちで中心線Ｌの一方の側に位置する部分３ａに対して接着剤４４を介して接合している。着衣当接用シート３は、それが中心線Ｌに沿って折曲されて、中心線Ｌのもう一方の側に位置していた部分３ｂが連結用シート４１に重ねられると、部分３ｂと連結用シート４１とが接着剤４４を介して接合される。パッド１はこのように平坦なパッド１ａを二つに折り重ねることによって形成されるものである。
【００３６】
図６のパッド１における連結用シート４１は、不織布や織布、紙、プラスチックフィルム等のシート材料によって形成することができるものであるが、好ましい連結用シート４１では、そのシート材料として水解性のものが使用される。連結用シート４１においてはまた、互いに離間した粘着域４５を形成するように塗布されている粘着剤４６の図７における態様は、横方向Ｂにおいて互いにつながるように塗布されている態様に代えることもできる。
【００３７】
この発明において、パンツ３２に対するパッド１の止着手段となる図２の粘着剤１２や図７の粘着剤４６は、商品名マジックテープ（登録商標）等として知られており互いに離脱可能に係合するフック部材とループ部材とによって形成されているファスナのフック部材に代え、パンツ３２の内面をそのフック部材の相手方となるループ部材として使用することも可能である。
【００３８】
痔疾パッド１を例にとって説明したこの発明は、使い捨ての陰唇間パッド等の体液吸収性着用物品として実施することもできる。
【符号の説明】
【００３９】
１  体液吸収性着用物品（痔疾パッド）
１ａ  平坦なパッド
２  肌当接用シート
３  着衣当接用シート
４  芯材
６  周縁部
１１  連結手段（接着剤）
１２  止着手段（粘着剤）
２０  輪郭線
４０  遠隔部位
４１  連結手段（連結用シート）
４６  止着手段（粘着剤）
Ａ  縦方向
Ｂ  横方向
Ｌ  中心線
【図１】
2010179002.tif 000003
【図２】
2010179002.tif 000004
【図３】
2010179002.tif 000005
【図４】
2010179002.tif 000006
【図５】
2010179002.tif 000007
【図６】
2010179002.tif 000008
【図７】
2010179002.tif 000009
【図８】
2010179002.tif 000010
【図９】
2010179002.tif 000011